(57)【要約】      （修正有）【課題】第１のタンデム印刷エンジンから第２の印刷エンジン上に発出させるシート先端の見当合わせを改善する方法を提供する。【解決手段】ベルト同期無効循環動作に対する必要性を伴うことなく所定ピッチモードにて任意の寸法のシートが印刷できるよう、第１の印刷エンジン１０の反転器一時停止時間を制御する方法である。本方法は、所与のピッチモードごとに最大のシート寸法に基づき僅かな公称反転器一時休止時間を用いる。最大のシート寸法を下回るピッチモードでの任意のシート寸法について、反転器一時停止時間は比例的に増大する。【選択図】図１
2011253183.tif 000002
【特許請求の範囲】
【請求項１】
タンデムデジタル印刷システム内で画像印刷媒体シートの見当合わせを制御する方法であって、
印刷ジョブ用の複数のパラメータを受け取る工程と、
第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、
第１と第２の光受容体ベルトに関する継目オフセットを算出する工程と、
継目オフセットに基づき第１と第２の光受容体ベルトの速度を調整する工程と、
印刷ジョブを開始する工程と、
シート単位を基準に出力反転器の一時停止時間を調整する工程とを含む、方法。
【請求項２】
継目オフセットは、第１の光受容体ベルトの継目に対し第２の光受容体ベルトの継目をオフセットさせる時間量を含む、請求項１に記載の方法。
【請求項３】
タンデムデジタル印刷システムであって、
第１の継合光受容体ベルトと出力反転器とを有する第１の印刷エンジンと、
第１の継合光受容体ベルトを有する第２の印刷エンジンと、
第１と第２の印刷エンジンと第１の反転器とに作動的に接続された主コントローラとを含み、この主コントローラは、
印刷ジョブ用の複数のパラメータを受け取る工程と、
第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、
第１と第２の光受容体ベルトに対する継目オフセットを算出する工程と、
継目オフセットに基づき第１と第２の光受容体ベルトの速度を調整する工程と、
印刷ジョブを開始する工程と、
シート単位を基準に出力反転器の一時停止時間を調整する工程とに作動する、システム。
【請求項４】
継目オフセットは、第１の光受容体ベルトの継目に対し第２の光受容体ベルトの継目をオフセットさせる時間量を含む、請求項３に記載のシステム。
【発明の詳細な説明】
【技術分野】
【０００１】
本開示は、継合無端光受容体ベルトを用いる種の複数のタンデム印刷あるいは印刷エンジンを有するデジタル印刷システムに関する。
【背景技術】
【０００２】
背景には、通常の電子写真印刷機において、光導電部材を実質均一な電位に帯電させてその表面を高感度化することがある。光導電部材の帯電部分は、再生対象である原書面の光像に露光させている。帯電した光導電部材の露光が、その上の電荷を被照射領域において選択的に放電させ、原書面内に含まれる情報領域に対応する光導電部材上に静電潜像を記録する。静電潜像を光導電部材に記録した後、現像材料をそこに接触状態とすることで潜像を現像する。一般に、静電潜像は、そこに摩擦電気により付着するトナー粒子を有する担体微粒を含む乾燥現像材料を用いて現像される。しかしながら、液体現像材料もまた用いることができる。トナー粒子は潜像に吸着され、光導電面上に可視粉末画像を形成する。トナー粒子を用いて静電潜像を現像した後、トナー粉末画像は複写媒体に転送される。その後、トナー画像を加熱し、これを複写媒体に恒久的に融着させる。
【０００３】
この種の光導電部材を電子写真印刷機内で使用してカラー印刷物を生成することは、極めて望ましいことである。カラー印刷物を生成するため、印刷機は複数のステーションを含んでいる。各ステーションは光導電面を帯電する帯電装置と、光導電面の帯電部分を選択的に照明してその上に静電潜像を記録する露光装置と、トナー粒子を用いて静電潜像を現象する現象ユニットとを有する。各現象ユニットは、個々の静電潜像上に異なる色のトナー粒子を付着させる。画像は少なくとも一部互いに重畳する見当合わせ状態にて現象され、多色トナー粉末画像を形成する。得られる多色粉末画像は、続いてシートに転写される。転写された多色画像はそこで、シートに恒久的に融着されてカラー印刷物を形成する。
【０００４】
これまでの電子写真印刷機は、光導電材料で被覆された継合ベルトである光導電部材を用いるものである。画像は、紙面間領域が画像領域に続くようベルト上に載置され、ベルトの継合した領域は画像品質の欠陥をもたらすため、ベルトの継目領域は書面間領域内に保持される。したがって、書面間領域は電子写真工程を監視し制御できるようにする潜像処理制御パッチの受容に限定される。
【０００５】
タンデム印刷システムでは、第１の印刷エンジンにおいてその表側の面に印刷した後でシートを裏返し、裏返したシートを第２の印刷エンジン内に給送してシートの裏側の面に印刷し、したがって高速の両面デジタル印刷を容易にすることが慣例である。しかしながら、この種の構成の印刷システムでは、裏返したシートの先端を第２の印刷エンジンの光受容体上に適切に見当合わせし、シート上へ画像を適切に配置するとともに第２の印刷エンジンの光受容体における継目を排除する上で、課題に遭遇してきた。第１の印刷エンジンからの裏返されたシートを移送機により第２の印刷エンジンへ移送する箇所では、タイミングや移送速度やシートの位置決めにおける誤差が蓄積され、第２の光受容体に対するシートの誤見当合わせを引き起こすことがある。このことは、光受容体の動きに対して±３０ミリ秒のタイミング範囲内で第２の光受容体に対しシートを配置する要件に鑑み、特に厄介なことである。一般に、両面印刷に用いるタンデム印刷エンジンは第２の印刷エンジンにおける光受容体の速度を可変することで継目の位置を同期させるよう作動し、第１の印刷エンジンの融着器における加熱と光受容体速度の変化を招く光受容体ベルト長さの差異とからの用紙の収縮に起因する画像から用紙への前後の見当合わせについての問題に帰結することがある。
【０００６】
両面印刷用のタンデム印刷エンジンを用いるデジタル印刷システムは所定の手順に従って作動しており、それはシステムが当初および後続の印刷エンジンにおけるシート積層体の到着時間を予定に組み込み、予定到着時刻に合致させるべくシート積層体を給送器が押し出すようにして進行する。シートはそこで、第１の印刷エンジンの入り口に到達し、印刷のための上側見当合わせに向けその上に見当合わせさせられる。シートは、光受容体ベルトからの画像転写用に見当合わせされ、第１の印刷エンジンの放出出口に到達する。システムはそこで、シート積層体を反転器に付託し、これが固定の一時停止時間後にシート積層体を放出する。
【０００７】
したがって、第１のタンデム印刷エンジンから第２の印刷エンジン上に発出させるシート先端の見当合わせを改善する方法の提供が望まれてきた。
【発明の概要】
【発明が解決しようとする課題】
【０００８】
継合光受容体ベルト（あるいは継合中間転写ベルト）を用いるタンデム印刷エンジンでは、印刷エンジン２内のベルト速度を調整してベルト２の期間が印刷エンジン１内のベルト１の期間に等しくなるようにするベルト同期ルーチンが、現在存在している。ベルト２の継目は、ベルト１の継目に対し一定の位相オフセット（継目オフセット）状態に保持される。この継目オフセットは、媒体経路を移動する媒体が適切な時点で印刷エンジン１と印刷エンジン２の転写箇所に到達し、したがってシート先端が各ベルト上の適当な画像パネルに合致するよう選択される。新規の継目オフセットはシート寸法ごとに算出する必要がある筈であり、これには別のベルト同期が必要である。ベルト同期ルーチンは複数回のベルト回転に亙る無効循環動作を必要とするため、これは複数のシート寸法にてジョブを実行する顧客にとっては生産性に対する相当の影響を有する筈である。
【課題を解決するための手段】
【０００９】
したがって、例示実施形態は上記に引用した難題やその他を解決する新規の改善された方法と装置に関する。
【００１０】
例示方法は、ベルト同期無効循環動作の必要性を伴うことなく所定のピッチモードにて任意の寸法のシートを印刷すべく第１の印刷エンジンの反転器一時停止時間を制御する。本方法は、所与のピッチモード向けの最大シート寸法に基づき僅かな公称反転器一時停止時間を用いる。最大のシート寸法を下回るピッチモードでの任意のシート寸法について、反転器一時停止時間は比例的に増大する。モデル化は、各ピッチモード内の全てのシート寸法に対応する十分な許容可能な反転器一時停止時間が存在することを示している。
【００１１】
一実施形態では、タンデムデジタル印刷システム内で画像印刷媒体シートの見当合わせを制御する方法が提供される。本方法は、印刷ジョブ用の複数のパラメータを受け取る工程と、第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、第１と第２の光受容体ベルトについて継目オフセットを算出する工程と、継目オフセットに基づき第１と第２の光受容体ベルトの速度を調整する工程と、印刷ジョブを開始する工程と、シート単位を基準に出力反転器の一時停止時間を調整する工程とを含むものである。
【００１２】
別の実施形態では、タンデムデジタル印刷システムが提供される。システムは、第１の継合光受容体ベルトと出力反転器とを有する第１の印刷エンジンと、第１の継合光受容体ベルトを有する第２の印刷エンジンと、第１と第２の印刷エンジンおよび第１の反転器に作動的に接続した主コントローラとを含む。さらに、主コントローラは、印刷ジョブ用の複数のパラメータを受け取り、続いて第１の印刷エンジンと第２の印刷エンジンとを循環動作させるよう作動し、ここで第１の印刷エンジンは少なくとも第１の継合光受容体ベルトと出力反転器とを含み、第２の印刷エンジンは少なくとも第２の継合光受容体ベルトを含む。次に、第１と第２の光受容体ベルトについて継目オフセットを算出する。第１と第２の光受容体ベルトの速度は継目オフセットに基づいて調整され、印刷ジョブが開始され、出力反転器の一時停止時間はシート単位を基準に調整される。
【００１３】
さらに別の実施形態では、コンピュータプログラム製品が提供される。この製品は、コンピュータによる実行時にコンピュータに下記方法を実行させる命令を記憶するコンピュータ可使用データ担体を備え、この方法は、印刷ジョブ用の複数のパラメータを受け取る工程と、第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、第１と第２の光受容体ベルトについて継目オフセットを算出する工程と、継目オフセットに基づき第１と第２の光受容体ベルトの速度を調整する工程と、印刷ジョブを開始する工程と、シート単位を基準に出力反転器の一時停止時間を調整する工程とを含む。
【図面の簡単な説明】
【００１４】
【図１】例示実施形態の態様を組み込んだタンデム方式の複数の印刷エンジンを有するデジタル印刷システムの概略図である。
【図２】例示実施形態の原理を導入した１１ピッチの光導電部材に関する一部配置概略図である。
【図３】図１のシステムにおけるシート移送制御の例示方法のフロー線図である。
【発明を実施するための形態】
【００１５】
本願明細書で使用する「印刷媒体」は、裁断紙あるいはウェブ給送のいずれかによる、フィルム様の物理的シート紙やプラスチックあるいは画像用の他の適当な物理的印刷媒体を概ね指す。「印刷ジョブ」は通常、関連するシート群や、一般には、特定のユーザから、もしくはあるいは関連する原書面シート群から複写された１以上のページ順の複写紙群や電子書面頁画像である。
【００１６】
用語「印刷機」と用語「印刷システム」は本願明細書では、印刷コントローラや印刷エンジンを含み、何らかの目的に合わせ印刷出力機能を遂行することのできるデジタル複写機、電子写真および複写印刷システム、製本装置、ファクシミリ装置、多機能装置、インクジェット装置、連続式給送器、シート給送印刷装置等のあらゆる装置および／またはシステムを包含するものである。本願明細書に使用する用語「ツール」には、ハードウェアやソフトウェアや本願明細書に記載するシステムおよび方法を遂行する命令群を包含させることができる。
【００１７】
図１を参照するに、例示デジタル印刷システム１０は、シート給送組立体１２と、無端継合種の第１の光受容体１６と第１の光受容体ベルト１６上へのカラー画像形成を行なうよう作動可能な第１群の着色剤生成器１８とを含む第１の印刷エンジン１４とを含んでいる。第１の印刷エンジン１４は、初段融着器２０と第１の印刷エンジン１４を介する第１の移送路２２を提供する移送器とを含む。第１の光受容体ベルト１６は、点線の輪郭で示される第１の転写ステーション２４（あるいは転写１）の第１の転写経路２２上のシート積層体に対し画像を転写するよう動作可能としてある。
【００１８】
第１の転写ステーション２４での印刷から、シート積層体を第１の移送路２２に沿って前進させ、第１の移送路２２に沿って融着器２０から第１の反転器２６へ放出し、これがマーキング済みシートを裏返し、第１の移送路２２上へ再進入させて第２の印刷エンジン３０向けの進入ステーション２８へ移動させる前に制御された一時停止時間に亙りシートを保持する。
【００１９】
シート積層体は後述する如く制御され、制御された所定時点で矢印と第２の印刷エンジン３０内の参照符号３５とが示す見当合わせ点に到達する。
【００２０】
第２の印刷エンジン３０は継合ベルト種の第２の光受容体３２を含み、第２の光受容体３２上にカラー画像を形成するよう配置された第２群の着色剤生成器３４を有する。第２の光受容体ベルト３２は、点線輪郭で示す第２の転写ステーション３３（転写２）においてシートの第２の裏側にカラー画像を転写するよう動作可能としてある。第２の印刷エンジン３０はまた、シートをその出力端から第２の反転器３８に入力する印刷後融着器３６を含んでおり、この反転器がシートをその元の向きに復帰させ、両面マーキング済みシートを仕上げ機４０へ放出する。
【００２１】
図１のシステム１０はまた、後述するように、点線で示す如く作動的に接続され、第１と第２の印刷エンジン１４，３０と第１の反転器２６を制御する主コントローラ５０を含んでいる。図示はしていないが、主コントローラ５０に、１以上のコンピュータプログラムを実行するための中央処理装置（ＣＰＵ）、ＣＰＵ用のメモリ記憶装置、および接続されたディスプレイや入力装置等のコンピュータ構成要素を含めることができることは理解されたい。この種の１（または複数）のプログラムは、これらに限定はされないが、フラッシュドライブ、ハードドライブ、フロッピーディスク、光ディスク、ＣＤ−ＲＯＭ、光磁気ディスク、リード・オンリー・メモリ（ＲＯＭ）、ランダム・アクセス・メモリ（ＲＡＭ）、ＥＰＲＯＭ、ＥＥＰＲＯＭ、磁気カードや光カード、ＤＶＤ、あるいは電子命令を記憶させるのに適しそれぞれがコンピュータシステムバスに結合される任意種の媒体等のコンピュータ可読記憶媒体に記憶させることができる。
【００２２】
用紙に転写するものとして多色現像画像を開示してきたが、当業者はベルトやドラム等の中間部材に転写し、続いて用紙に転写して融着できることを理解するであろう。さらに、本願明細書にはトナー粉末画像とトナー粒子を開示してきたが、当業者は液体担体内のトナー粒子を用いる液体現像材料もまた用いることができることを理解するであろう。
【００２３】
図２は、図１の光受容体ベルト１６等の１１ピッチの光導電部材（あるいはベルト）の一部概略図を示す。光導電部材１６が矢印６４の方向に移動すると、その各部分が図１に示す後述する処理ステーションを通過する。便宜上、光導電部材１６の区画を識別してある。画像領域は、露光し現像して複合画像を生成する光導電部材１６の一部である。同様に、書面間領域は電子写真処理を監視し制御できるようにする潜像処理制御パッチの受容に限定してある。
【００２４】
光導電部材１６には、２以上の画像領域を含ませることができることを理解されたい。例えば、図２は第１の画像領域８０と第２の画像領域８２と全て一定の長さｌの１１番目（最後）の画像領域８６とを有する光導電部材１６を示す。画像は、書面間領域が画像領域に追従するようベルト１６上に配置される。例えば、画像領域８０には書面間領域９０が続き、１０番目の画像領域（図示せず）には書面間領域８４が続く。たとえ光導電ベルト１６が例えば１１個でなく、たった４個の画像領域しかもたない場合でも、それは依然として画像の先端と後端とを仕切る書面間領域を有する。画像領域と同数の書面間領域が、存在することになる。
【００２５】
光導電ベルト１６の継目領域が画像品質に欠陥をもたらすために、ベルトの継目領域もまた書面間領域内に保持する。書面間領域９２はベルト継目８８を含むだけでなく、継目８８先端の書き込み禁止領域８７と、継目８８後端の書き込み禁止領域９１とを含み、パッチを書き込み、重複画像（Ｉ−Ｏ−Ｉ）見当合わせ領域等として計測することのできる領域８９もまた含む。図２に示す如く、書面間領域は光導電部材１６上に配置された他の書面間領域ｌの一定の長さＤを相当に上回る長さＬとしてある。
【００２６】
図１の第２の光受容体ベルト３２が概ね同様の態様にて構成されることを、理解されたい。
【００２７】
光受容体同期は先ず第２の印刷エンジン３０の第２の光受容体ベルト３２の速度を設定し、これによりその期間が第１の光受容体ベルトの期間と同一となるようにし、続いて第２の光受容体ベルト３２の継目領域の位置を設定する。例示方法は循環動作にて稼働し、第１の光受容体に対し第２の光受容体の継目を位置決めし、用紙上画像（ＩＯＰ：Ｉｍａｇｅ  Ｏｎ  Ｐａｐｅｒ）見当合わせセットアップが規定するその目標速度を維持する。装置セットアップは、画像がシート上に正確に位置するようパラメータを調整する。このセットアップにおける調整の一つがＰＲベルト速度であり、これがプロセス拡倍率を調整する。
【００２８】
システム１０は、制御ライン５２を用い第１の印刷エンジンと第２の印刷エンジン（１４，３０）との間の光受容体ベルト（ＰＲ）速度に同期する。制御ライン５２は、第１の印刷エンジン１４内のＰＲＢＣ（光受容体ベルトコントローラ）（図示せず）から第２の印刷エンジン３０内のＰＲＢＣ（図示せず）へ継目孔信号を送り、第２の印刷エンジン３０内の第２の光受容体３２の速度を調整するとともに継目間オフセット距離（継目オフセット）を調整する。継目オフセットは、適切な時点でシート先端が各印刷エンジンに到達するよう設定される。目下のところ、第１の印刷エンジン１４から第２の印刷エンジン３０までシートが移動する時間がシート寸法と共に変化することに起因してシート寸法が変化する場合、この継目オフセットは変化させねばならない。継目オフセットの変更は、印刷エンジンに印刷の中断とベルト同期ルーチンの実行とを要求し、そのことが顧客にとって生産性に大きく影響を及ぼす。例示方法は反転器一時停止時間を用いて第１の印刷エンジン１４から第２の印刷エンジン３０への総シート時間を所定のピッチモードでの全シート寸法について一定に保ち、ここで「ピッチ」はシート長さ（あるいは幅）に１枚のシートの端部と処理対象である別のシートの始端との間の距離を加えたものとして定義される。「ピッチモード」は通常、印刷エンジンソフトウェアにおいて入来シート長により規定される。ソフトウェアは、光受容体ベルトの一回転当たりの画像パネルの数を最大化するよう試行する。所与のピッチモードについてシート長が最大シート寸法を上回る場合、装置は次のより低いピッチモードに対し設定（ベルト周りにより少数の画像を可能に）することになる。これにより、印刷エンジンは継目オフセットを変更する必要性を伴うことなく印刷が継続でき、したがってベルト同期用の無効循環動作が回避される。
【００２９】
図３に、例示方法が示してある。図３を参照するに、主コントローラ５０は印刷ジョブのパラメータを受け取る（１０１）。次に、第１と第２の印刷エンジン１４，３０が循環動作する（１０２）。この時点で、下記にもっと詳しく記載するよう継目オフセットが算出される（１０３）。第１と第２の光受容体ベルト１６，３３の速度を、そこで継目オフセットに基づき調整する（１０４）。印刷ジョブが、そこで開始される（１０５）。出力反転器２６は、下記により詳しく説明するように、シート単位を基準に反転器一時停止時間を調整する（１０６）。この処理の最終工程とは、下記により詳しく説明するように、「実際の反転器一時停止時間」の算出を指すものである。
【００３０】
所与のピッチモード内の最大シート寸法に関する「Ｓｅａｍ  Ｏｆｆｓｅｔ（継目オフセット）」は、下式からの僅かな公称反転器一時停止時間を用いて算出することができる。
ＳｅａｍＯｆｆｓｅｔ＝ＴｉｍｅＦｒｏｍＸｆｅｒ１ｔｏＩｎｖｅｒｔｅｒＨｏｌｄＭａｘＳｈｅｅｔＳｉｚｅ＋ＮｏｍＩｎｖｅｒｔｅｒＤｗｅｌｌＴｉｍｅ＋ＴｉｍｅＦｒｏｍＩｎｖｅｒｔｅｒＨｏｌｄｔｏＸｆｅｒ２−ＢｅｌｔＰｅｒｉｏｄ          （１）
【００３１】
ここで、ＳｅａｍＯｆｆｓｅｔ（継目オフセット）＝第１の光受容体ベルト１６の継目に対し第２の光受容体ベルト３２の継目をオフセットさせる時間量である。これはピッチモードに基づき変化するものであり、何故ならＴｉｍｅＦｒｏｍＸｆｅｒ１ｔｏＩｎｖｅｒｔｅｒＨｏｌｄＭａｘＳｈｅｅｔＳｉｚｅ（第１の印刷エンジンから最大シート寸法を反転器が保持するまでの時間）はピッチモードと共に変化するからである。
【００３２】
ＴｉｍｅＦｒｏｍＸｆｅｒ１ｔｏＩｎｖｅｒｔｅｒＨｏｌｄＭａｘＳｈｅｅｔＳｉｚｅ（第１の印刷エンジンから最大シート寸法を反転器が保持するまでの時間）＝所与のピッチモードにおける最大シート寸法についての第１の印刷エンジン１４の出力反転器２６内でシートが停止するまでの第１の印刷エンジンの転写からの時間である。
【００３３】
ＮｏｍＩｎｖｅｒｔｅｒＤｗｅｌｌＴｉｍｅ（公称反転器一時停止時間）＝第１の印刷エンジン１４の出力反転器における公称一時停止時間である。この時間は、許容可能な総一時停止時間の短い側にバイアスさせ、これによりピッチモード内でシート寸法が減少するのに合わせ「実際の反転器一時停止時間」（下記参照）を増大させることができる。
【００３４】
ＴｉｍｅＦｒｏｍＩｎｖｅｒｔｅｒＨｏｌｄｔｏＸｆｅｒ２（反転器保持から第２印刷エンジンまでの時間）＝所与のピッチモードでの最大シート寸法について、シートが反転器２６から離脱開始する時点から第２の印刷エンジンの転写３３に達するまでの時間である。
【００３５】
ＢｅｌｔＰｅｒｉｏｄ（ベルト期間）＝ＰＲベルト（あるいは中間転写ベルト）が一回転する時間である。ベルト同期ルーチンは第２のベルト３２の期間を第１のベルト１６の期間に等しく保持し、したがってこの式にどちらを用いようと問題はない。
【００３６】
「Ａｃｔｕａｌ  Ｉｎｖｅｒｔｅｒ  Ｄｗｅｌｌ  Ｔｉｍｅ（実際の反転器一時停止時間）」は、下記の式から算出することができる。
ＡｃｔｕａｌＩｎｖｅｒｔｅｒＤｗｅｌｌＴｉｍｅ＝ＮｏｍＩｎｖｅｒｔｅｒＤｗｅｌｌＴｉｍｅ＋（ＭａｘＳｈｅｅｔＳｉｚｅ−ＡｃｔｕａｌＳｈｅｅｔＳｉｚｅ）／ＩｎｐｕｔＳｐｅｅｄ          （２）
【００３７】
ここで、ＡｃｔｕａｌＩｎｖｅｒｔｅｒＤｗｅｌｌＴｉｍｅ（実際の反転器一時停止時間）＝所与のシート寸法とピッチモードについて第１の印刷エンジン１４の出力反転器内にシートを保持する時間量である。
【００３８】
ＮｏｍＩｎｖｅｒｔｅｒＤｗｅｌｌＴｉｍｅ（公称反転器一時停止時間）＝第１の印刷エンジン１４の出力反転器の公称一時停止時間である。この時間は通常、許容可能な総一時停止時間範囲のより短い側にバイアスされ、したがってピッチモード内でシート寸法が減少するにつれＡｃｔｕａｌＩｎｖｅｒｔｅｒＤｗｅｌｌＴｉｍｅ（実際の反転器一時停止時間）は増大する。所定のピッチモードについて、次の入来シートが保持中のシート内に突入することになる前に反転器内でシートを一時停止させる算出最大時間量が存在することに留意されたい。この式は、反転器入力／出力速度と反転器減速度と反転器加速度とシート長とピッチモードとの関数である。
【００３９】
ＭａｘＳｈｅｅｔＳｉｚｅ（最大シート寸法）＝所与のピッチモードについての最大シート寸法である。
【００４０】
ＡｃｔｕａｌＳｈｅｅｔＳｉｚｅ（実際のシート寸法）＝第１の印刷エンジン１４の出力反転器に進入するシートについての実際のシート寸法である。
【００４１】
ＩｎｐｕｔＳｐｅｅｄ（入力速度）＝第１の印刷エンジン１４の出力反転器２６に進入するシート速度である。
【００４２】
したがって、例示方法は第１の印刷エンジン１４の出力反転器２６の持続時間を可変し、装置が最大生産能力時にピッチモードにて様々な寸法のシートが印刷できるようにしている。一つの利点は、同一のピッチモードにおいて様々なシート寸法でのジョブと、同一のピッチモードにて異なるシート寸法の流れ作業ジョブについての改善された生産性である。
【００４３】
図３に例示する方法は、計算装置上で実行することのできるコンピュータプログラム製品に実装することができる。コンピュータプログラム製品は、ディスクやハードディスクドライブ等のその上に制御プログラムを記録する有形のコンピュータ可読記録媒体としたり、あるいは制御プログラムをデータ信号として具現する伝送可能な搬送波としたりすることができる。コンピュータ可読媒体の一般形態には、例えばフロッピーディスク、フレキシブルディスク、ハードディスク、磁気テープ、その他の磁気記憶媒体、ＣＤ−ＲＯＭ、ＤＶＤ、またはその他の光学媒体、ＲＡＭ、ＰＲＯＭ、ＥＰＲＯＭ、フラッシュ型ＥＰＲＯＭ、またはその他のメモリチップやカートリッジ、音響波や光波、無線波や赤外線データ通信期間中に生成されるもの等の伝送媒体等、あるいはコンピュータが読み取って使用することのできる他の任意の媒体を含めることができる。
【図１】
2011253183.tif 000003
【図２】
2011253183.tif 000004
【図３】
2011253183.tif 000005